(57)【要約】      （修正有）【課題】衛生的で安全であり、洗浄が容易で、口臭が改善する歯状タングスクレーパーを有する歯ブラシを提供する。【解決手段】歯状タングスクレーパーを有する歯ブラシは、歯ブラシ１を備える。歯ブラシ１は、把柄部１０を有する。把柄部１０は、一端に設けられた刷毛部１２と、他端に設けられた歯状タングスクレーパー１４とを有する。歯状タングスクレーパー１４には、複数の凹部１４０が設けられる。歯状タングスクレーパー１４及び把柄部１０は、共同で収容槽１６を形成する。【選択図】図１
0003228525.tif 000002
【実用新案登録請求の範囲】
【請求項１】
歯状タングスクレーパーを有する歯ブラシであって、
前記歯ブラシは、把柄部を有し、
前記把柄部は、一端に設けられた刷毛部と、他端に設けられた歯状タングスクレーパーと、を有し、
前記歯状タングスクレーパーには、複数の凹部が設けられ、
前記歯状タングスクレーパー及び前記把柄部は、共同で収容槽を形成することを特徴とする、歯状タングスクレーパーを有する歯ブラシ。
【請求項２】
前記歯状タングスクレーパーは、前記把柄部の少なくとも一側辺及び末端に位置することを特徴とする請求項１に記載の歯状タングスクレーパーを有する歯ブラシ。
【請求項３】
前記歯状タングスクレーパーには、前記収容槽に対向した側面が設けられることを特徴とする請求項１に記載の歯状タングスクレーパーを有する歯ブラシ。
【請求項４】
前記側面は弧面又は平面であることを特徴とする請求項３に記載の歯状タングスクレーパーを有する歯ブラシ。
【請求項５】
前記凹部間には、距離がそれぞれ設けられることを特徴とする請求項１に記載の歯状タングスクレーパーを有する歯ブラシ。
【請求項６】
前記把柄部には、前記刷毛部及び前記歯状タングスクレーパーを空中に浮かせる折り曲げ部が設けられていることを特徴とする請求項１に記載の歯状タングスクレーパーを有する歯ブラシ。
【考案の詳細な説明】
【技術分野】
【０００１】
本考案は、歯状タングスクレーパーを有する歯ブラシに関するものである。
【背景技術】
【０００２】
一般に人々は歯を毎日磨き、歯磨き及び口を漱ぐことにより、口腔内の大部分の細菌を除去し、息を爽やかに保っている。しかし、大部分の人にとっては、口腔内の隠れた細菌の問題を意識することは容易でなかった。例えば、基本的に舌苔を定期的にきれいにする人は少なかったが、一部の人は歯磨きをするときに歯ブラシで舌の表面をきれいにする者もいた。しかし、一般の歯ブラシの刷毛では、舌苔を舌から除去することができず、クリーニング効果は好ましくなかった。
【考案の概要】
【考案が解決しようとする課題】
【０００３】
本考案の目的は、歯状タングスクレーパー及び複数の凹部を利用することにより、舌苔を掻き取って収容槽に収容するため、衛生的で安全であり、洗浄が容易で、口臭が改善する歯状タングスクレーパーを有する歯ブラシを提供することにある。
【課題を解決するための手段】
【０００４】
上記課題を解決するために、本考案の第１の形態によれば、歯ブラシを備えた、歯状タングスクレーパーを有する歯ブラシであって、前記歯ブラシは、把柄部を有し、前記把柄部は、一端に設けられた刷毛部と、他端に設けられた歯状タングスクレーパーと、を有し、前記歯状タングスクレーパーには、複数の凹部が設けられ、前記歯状タングスクレーパー及び前記把柄部は、共同で収容槽を形成することを特徴とする、歯状タングスクレーパーを有する歯ブラシを提供する。
【図面の簡単な説明】
【０００５】
【図１】本考案の一実施形態に係る歯状タングスクレーパーを有する歯ブラシを示す斜視図である。
【図２】本考案の一実施形態に係る歯状タングスクレーパーを有する歯ブラシを示す側面図である。
【図３】本考案の一実施形態に係る歯状タングスクレーパーを有する歯ブラシの使用状態の説明図である。
【図４】本考案の一実施形態に係る歯状タングスクレーパーを有する歯ブラシの把柄部を載置したときの状態の説明図である。
【考案を実施するための形態】
【０００６】
以下、図面により、本考案を具体的に説明する。もっとも、本考案は、かかる図面により限定されるものではない。
【０００７】
図１及び図２を参照する。図１は、本考案の一実施形態に係る歯状タングスクレーパーを有する歯ブラシを示す斜視図である。図２は、本考案の一実施形態に係る歯状タングスクレーパーを有する歯ブラシを示す側面図である。図１及び図２に示すように、本考案の一実施形態に係る歯状タングスクレーパーを有する歯ブラシは、歯ブラシ１を含む。歯ブラシ１は、把柄部１０と、両端にそれぞれ設置された刷毛部１２と、歯状タングスクレーパー１４と、を有する。歯状タングスクレーパー１４には、複数の凹部１４０が設けられる。歯状タングスクレーパー１４及び把柄部１０は、共同で収容槽１６を形成する。
【０００８】
前述した歯状タングスクレーパー１４は、把柄部１０の少なくとも一側辺及び末端に位置する。
【０００９】
前述した歯状タングスクレーパー１４には、収容槽１６を向いた側面１４２が設けられる。側面１４２は、弧面又は平面である。
【００１０】
前述した各凹部１４０間には、距離Ｌが設けられる。
【００１１】
図３を併せて参照する。図３は、本考案の一実施形態に係る歯状タングスクレーパーを有する歯ブラシの使用状態の説明図である。図３に示すように、舌苔を掻き取る場合、使用者は舌面に歯状タングスクレーパー１４を当て、歯状タングスクレーパー１４の側面１４２により、舌面から舌苔を掻き取って収容槽１６に収容する。ここで、歯状タングスクレーパー１４上の複数の凹部１４０間には、距離Ｌが設けられる。つまり、歯状タングスクレーパー１４が凹部１４０により多数の短めの部位に成形されているため、舌部は良好な加圧効果が得られ、舌苔を効果的に掻き取ることができる。また、歯状タングスクレーパー１４は、一定の厚さを有する。つまり、歯状タングスクレーパー１４の頂面が厚さを有する平面に成形されているため、舌苔を掻き取るときに、舌が怪我することを防ぐことができる。
【００１２】
図４を併せて参照する。図４は、本考案の一実施形態に係る歯状タングスクレーパーを有する歯ブラシを載置したときの状態の説明図である。図４に示すように、本実施形態の把柄部１０は、折り曲げ部１００を有する。把柄部１０は、折り曲げ部１００により反っているため、把柄部１０の両端の刷毛部１２及び歯状タングスクレーパー１４が空中に浮いた状態であり、前述したことから分かるように、把柄部１０を平面に載置すると、折り曲げ部１００が把柄部１０の中央部に配置されるため、把柄部１０は、折り曲げ部１００を介して載置したときにバランスを保つことができ、反った把柄部１０を平衡に保ちながら載置し、刷毛部１２及び歯状タングスクレーパー１４を空中に浮かせ、平面に載置したときに、刷毛部１２又は歯状タングスクレーパー１４が他の物に接触して汚染してしまうことを防ぐ。
【００１３】
上述したことから分かるように、本考案の歯状タングスクレーパーを有する歯ブラシは、歯状タングスクレーパー１４及び複数の凹部１４０を利用することにより、舌上の舌苔を掻き取って収容槽１６に収容することができるため、衛生的で安全であり、洗浄が容易で、口臭が改善する。
【符号の説明】
【００１４】
１  歯ブラシ
１０  把柄部
１２  刷毛部
１４  歯状タングスクレーパー
１６  収容槽
１００  折り曲げ部
１４０  凹部
１４２  側面
Ｌ  距離
【図１】
0003228525.tif 000003
【図２】
0003228525.tif 000004
【図３】
0003228525.tif 000005
【図４】
0003228525.tif 000006